【手続補正書】
【提出日】平成20年5月2日(2008.5.2)
【手続補正１】
【補正対象書類名】特許請求の範囲
【補正対象項目名】全文
【補正方法】変更
【補正の内容】
【特許請求の範囲】
【請求項１】
プロセスプラント内の一つ以上のエンティティの動作を表わすユーザインタフェース表示を生成する際に使用するためのグラフィック表示エディタであって、前記グラフィック表示エディタは、
グラフィックオブジェクトのライブラリであって、各グラフィックオブジェクトが、前記プロセスプラント内の物理的または論理的エンティティのビジュアル表現を含む、グラフィックオブジェクトのライブラリと、
ユーザが、前記グラフィックオブジェクトのライブラリからの前記グラフィックオブジェクトの一つ以上のビジュアル表現を編集キャンバス上に配置して、前記グラフィックオブジェクトの一つ以上のビジュアル表現をグラフィック表示の実行中にユーザに対して表示デバイス上に表示する方法を定義することによって、実行可能なグラフィック表示を定義することを可能にするグラフィックベースエディタキャンバスルーチンと、
ユーザが、前記複数のグラフィックオブジェクトのうちの少なくとも一つと関連するプロパティを定義可能にするよう構成されたプロパティ定義キャンバスルーチンと、
ユーザが、前記プロパティと前記プロセスプラント内の実行時環境との間のバインド関係を指定可能にするよう構成されたバインド定義ルーチンと、
ユーザが、前記グラフィック表示と対話して、該グラフィック表示を用いて機能を行なうことを可能にするよう構成された動作定義ルーチンと、
を含むことを特徴とするグラフィック表示エディタ。
【請求項２】
前記動作定義ルーチンは、ユーザが、更なるグラフィック表示にリンクすることを可能にする、請求項１に記載のグラフィック表示エディタ。
【請求項３】
前記更なるグラフィック表示は、前記グラフィック表示内のエンティティについての情報を提供する、請求項２に記載のグラフィック表示エディタ。
【請求項４】
前記更なるグラフィック表示は、フェースプレート表示である、請求項３に記載のグラフィック表示エディタ。
【請求項５】
前記グラフィック表示は、前記プロセスプラントの第１の部分を示し、前記更なるグラフィック表示は、前記プロセスプラントの第２の異なる部分を示す、請求項２に記載のグラフィック表示エディタ。
【請求項６】
該グラフィック表示は、前記プロセスプラントの第１の部分を示し、前記更なるグラフィック表示は、前記プロセスプラントの第１の部分のサブ部分を示す、請求項２に記載のグラフィック表示エディタ。
【請求項７】
前記グラフィック表示は、前記プロセスプラントの第１の部分を第１のレベルの詳細で示し、かつ、前記更なるグラフィック表示は、前記プロセスプラントの第１の部分のサブ部分を前記第１のレベルの詳細よりさらに詳細なレベルの詳細で示す、請求項６に記載のグラフィック表示エディタ。
【請求項８】
前記グラフィカル表示は、前記プロセスプラントの部分の第１の機能性ビューを提供し、前記更なる表示は、前記プロセスプラントの部分の第２の機能性ビューを提供する、請求項２に記載のグラフィック表示エディタ。
【請求項９】
前記第１の機能性ビューが、制御オペレータビューであり、前記第２の機能性ビューが、保守ビューまたはビジネスビューまたはシミュレーションビューまたはエンジニアリングビューのうちの一つである、請求項８に記載のグラフィック表示エディタ。
【請求項１０】
前記制御オペレータビューは、前記プロセスプラントの運転中に一つ以上の物理的エンティティと関連するプロセス値を示す、請求項９に記載のグラフィック表示エディタ。
【請求項１１】
前記第１の機能性ビューが、保守ビューであり、前記第２の機能性ビューが、制御オペレータビュー、またはビジネスビューまたはシミュレーションビューまたはエンジニアリングビューのうちの一つである、請求項８に記載のグラフィック表示エディタ。
【請求項１２】
前記保守ビューは、前記プロセスプラント内の物理的エンティティの健全性またはステータスの表示を示す、請求項１１に記載のグラフィック表示エディタ。
【請求項１３】
前記動作定義ルーチンは、ユーザが、前記プロセスプラント内で実行される制御ルーチンを示す制御ルーチン表示にリンクすることを可能にする、請求項１に記載のグラフィック表示エディタ。
【請求項１４】
ユーザが、前記グラフィック表示の実行中に前記プロパティに基づいて前記グラフィックオブジェクトのうちの一つのビジュアル表現に作用するルーチンを定義可能にするよう構成された定義ルーチンを更に含む、請求項１に記載のグラフィック表示エディタ。
【請求項１５】
前記定義ルーチンは、ユーザが、前記グラフィックオブジェクトのうちの一つのビジュアル表現をアニメートするアニメーションルーチンとして前記ルーチンを定義可能にする、請求項１に記載のグラフィック表示エディタ。
【請求項１６】
プロセスプラント内の一つ以上のエンティティの動作を視覚的に表現するための、一つ以上の表示デバイス上で実行可能な一組のグラフィック表示であって、前記一組のグラフィック表示は、
第１のグラフィック表示および第２のグラフィック表示を含み、前記第１のグラフィック表示は、
表示エリアと、
一つ以上の視覚的に相互接続されたグラフィックオブジェクトであって、前記グラフィックオブジェクトのそれぞれは、前記プロセスプラント内の、かつ、前記表示エリアに表現された物理的または論理的エンティティのビジュアル表現を含むグラフィックオブジェクトと、
前記複数のグラフィックオブジェクトの少なくとも一つと関連するプロパティを定義するプロパティ定義と、
前記プロパティと前記プロセスプラント内の実行時環境との間のバインド関係を指定するバインド定義と、
ユーザが、前記第１のグラフィック表示と対話して、前記第２のグラフィック表示にリンクすることを可能にする、前記表示エリア内のビジュアルリンクと、
を含む、一組のグラフィック表示。
【請求項１７】
前記第２のグラフィック表示は、前記第１のグラフィック表示内のエンティティについての情報を提供する、請求項１６に記載の一組のグラフィック表示。
【請求項１８】
前記第２のグラフィック表示は、フェースプレート表示である、請求項１７に記載の一組のグラフィック表示。
【請求項１９】
前記第１のグラフィック表示は、前記プロセスプラントの第１の部分を示し、前記第２のグラフィック表示は、前記プロセスプラントの第２のかつ異なる部分を示す、請求項１６に記載の一組のグラフィック表示。
【請求項２０】
前記第１のグラフィック表示は、前記プロセスプラントの第１の部分を示し、かつ、前記第２のグラフィック表示は、前記プロセスプラントの第１の部分のサブ部分を示す、請求項１６に記載の一組のグラフィック表示。
【請求項２１】
前記第１のグラフィック表示は、前記プロセスプラントの前記第１の部分を第１のレベルの詳細で示し、前記第２のグラフィック表示は、前記プロセスプラントの前記第１の部分の前記サブ部分を前記第１のレベルの詳細よりもさらに詳細なレベルの詳細で示す、請求項２０に記載の一組のグラフィック表示。
【請求項２２】
前記第１のグラフィック表示は、前記プロセスプラントの部分の第１の機能性ビューを提供し、前記第２のグラフィカル表示は、前記プロセスプラントの前記部分の第２の機能性ビューを提供する、請求項１６に記載の一組のグラフィック表示。
【請求項２３】
前記第１の機能性ビューが、制御オペレータビューであり、前記第２の機能性ビューが、保守ビューまたはビジネスビューまたはシミュレーションビューまたはエンジニアリングビューのうちの一つである、請求項２２に記載の一組のグラフィック表示。
【請求項２４】
前記第１の機能性ビューが、保守ビューであり、前記第２の機能性ビューが、制御オペレータビュー、またはビジネスビューまたはシミュレーションビューまたはエンジニアリングビューのうちの一つである、請求項２２に記載の一組のグラフィック表示。
【請求項２５】
前記保守ビューは、前記プロセスプラント内の物理的エンティティの健全性またはステータスの表示を示す、請求項２４に記載の一組のグラフィック表示。
【請求項２６】
前記第１のグラフィック表示が、前記プロセスプラント内の一つ以上の物理的エンティティの動作を示すオペレータ用のビューであり、前記第２のグラフィック表示が、前記プロセスプラント内の前記一つ以上の物理的エンティティに対する制御ルーチンを示す制御モジュール表示である、請求項１６に記載の一組のグラフィック表示。
【請求項２７】
プロセスプラントで使用するためのプロセス制御および構成システムであって、
プロセスを実行するために共に動作する複数の物理的および論理的プロセスエンティティと、
前記複数の物理的および論理的プロセスエンティティに通信により接続されたプロセスコントローラと、
プロセスコントローラに実装され、前記複数の物理的および論理的プロセスエンティティの動作を制御する一つ以上の制御ルーチンと、
プロセッサおよび表示スクリーンを含む表示デバイスと、
一組の相互関連グラフィック表示であって、前記グラフィック表示のそれぞれは、前記プロセスプラント内の前記プロセスエンティティの一つ以上の動作を前記表示スクリーン上で視覚的に表現するために前記表示デバイス上で実行可能であり、前記一組の相互関連グラフィック表示のうちの一つは、前記一組のグラフィック表示のうちの別の一つから順次アクセスされることができる、一組の相互関連グラフィック表示と、
を含むプロセス制御および構成システム。
【請求項２８】
前記一組の相互関連グラフィック表示のそれぞれを生成するよう構成されたグラフィック表示エディタを更に含む、請求項２７に記載のプロセス制御および構成システム。
【請求項２９】
前記一組の相互関連グラフィック表示のうちの一つは、表示エリアと、一つ以上の視覚的に相互接続されたグラフィックオブジェクトを含み、前記グラフィックオブジェクトのそれぞれは、前記プロセスプラント内の物理的または論理的エンティティのビジュアル表現と、前記複数のグラフィックオブジェクトの少なくとも一つと関連するプロパティを定義するプロパティ定義と、前記プロパティと前記プロセスプラント内の実行時環境との間のバインド関係を指定するバインド定義と、を含む、請求項２７に記載のプロセス制御および構成システム。
【請求項３０】
前記一組の相互関連グラフィック表示のうちの前記一つが、ユーザが、前記一組の相互関連グラフィック表示のうちの前記一つと対話して、前記一組の相互関連グラフィック表示のうちの別の一つにリンクすることを可能にする、前記表示エリア内のビジュアルリンクを含む、請求項２９に記載のプロセス制御および構成システム。
【請求項３１】
前記一組の相互関連グラフィック表示のうちの前記別の一つは、前記一組の相互関連グラフィック表示のうちの前記一つの中のエンティティについての情報を提供する、請求項３０に記載のプロセス制御および構成システム。
【請求項３２】
前記一組の相互関連グラフィック表示のうちの前記一つは、前記プロセスプラントの第１の部分を示し、前記一組の相互関連グラフィック表示のうちの前記別の一つは、前記プロセスプラントの、第２のかつ異なる部分を示す、請求項２７に記載のプロセス制御および構成システム。
【請求項３３】
前記一組の相互関連グラフィック表示のうちの前記一つは、前記プロセスプラントの第１の部分を示し、前記一組の相互関連グラフィック表示のうちの前記別の一つは、前記プロセスプラントの前記第１の部分のサブ部分を示す、請求項２７に記載のプロセス制御および構成システム。
【請求項３４】
前記一組の相互関連グラフィック表示のうちの前記一つは、前記プロセスプラントの部分の第１の機能性ビューを示し、前記一組の相互関連グラフィック表示のうちの前記別の一つは、前記プロセスプラントの前記部分の第２の機能性ビューを示す、請求項２７に記載のプロセス制御および構成システム。
【請求項３５】
前記第１の機能性ビューが、制御オペレータビューであり、前記第２の機能性ビューは、保守ビューまたはビジネスビューまたはシミュレーションビューまたはエンジニアリングビューのうちの一つである、請求項３４に記載のプロセス制御および構成システム。
【請求項３６】
プロセスプラントで使用するためのプロセス制御および構成システムであって、
プロセスを実行するために共に動作する複数の物理的および論理的プロセスエンティティと、
前記複数の物理的および論理的プロセスエンティティに通信により接続されたプロセスコントローラと、
前記プロセスコントローラに実装され、前記複数の物理的および論理的プロセスエンティティの動作を制御する一つ以上の制御ルーチンと、
プロセッサおよび表示スクリーンを含む表示デバイスと、
ユーザが、一組の相互関連グラフィック表示を生成することを可能にするグラフィック表示エディタであって、前記一組の相互関連グラフィック表示のそれぞれは、前記プロセスプラント内の前記プロセスエンティティのうちの一つ以上の動作を前記表示スクリーン上で視覚的に表現するために前記表示デバイス上で実行可能である、グラフィック表示エディタと、
を含むプロセス制御および構成システム。
【請求項３７】
前記グラフィカル表示エディタは、前記グラフィック表示のうちの一つが、前記グラフィック表示のうちの別の一つに関連する方法をユーザが指定することを可能にすることによって、前記グラフィック表示同士を相互に関連させるように構成される、請求項３６に記載のプロセス制御および構成システム。
【請求項３８】
前記グラフィック表示のうちの前記別の一つは、前記グラフィック表示のうちの前記別の一つの中のエンティティについての情報を提供する、請求項３７に記載のプロセス制御および構成システム。
【請求項３９】
前記グラフィック表示のうちの前記一つが、前記プロセスプラントの第１の部分を示し、前記グラフィック表示のうちの前記別の一つが、前記プロセスプラントの前記第１の部分に隣接する前記プロセスプラントの第２のかつ異なる部分を示す、請求項３７に記載のプロセス制御および構成システム。
【請求項４０】
前記グラフィック表示のうちの前記一つが、前記プロセスプラントの第１の部分を示し、前記グラフィック表示のうちの前記別の一つが、前記プロセスプラントの前記第１の部分のサブ部分を示す、請求項３７に記載のプロセス制御および構成システム。
【請求項４１】
前記グラフィック表示エディタは、ユーザが、前記グラフィック表示のうちの第１の一つを第１の機能性表示として生成し、かつ、前記グラフィック表示のうちの第２の一つを第２の機能性表示として生成することを可能にすることによって、前記グラフィック表示同士を相互に関連付けるように構成されている、請求項３６に記載のプロセス制御および構成システム。
【請求項４２】
前記第１の機能性表示が、制御オペレータ表示であり、前記第２の機能性表示が、保守表示またはビジネス表示またはシミュレーション表示またはエンジニアリング表示のうちの一つである、請求項４１に記載のプロセス制御および構成システム。
【請求項４３】
前記第１の機能性表示が、保守表示であり、前記第２の機能性表示が、制御表示またはビジネス表示またはシミュレーション表示またはエンジニアリング表示のうちの一つである、請求項４１に記載のプロセス制御および構成システム。
【手続補正２】
【補正対象書類名】明細書
【補正対象項目名】０１４２
【補正方法】変更
【補正の内容】
【０１４２】
一方、グラフィック表示をプロセスプラントまたは構成システム内の異なる構成要素に、別々にまたは直接、指定してもよい。具体的には、図24に示すように、個々のグラフィック表示を、システム構成部706の下のプロセスグラフィックス部734に配置してよい。これら表示は、例えばライブラリ部704で選択すること、および部分734にドラッギングおよびドロッピングすることによって、この部分に配置されてよい。もちろん、グラフィック表示を階層730の特定の部分に移動させる他の方法も同様に使用してもよい。いずれにせよ、部分734のグラフィック表示は、例えばフェースプレート表示、または他のクラスベースの、または非クラスベースの表示を含む場合があり、また一般にプラント内の全てのワークステーション、またはシステム構成部706によってカバーされたプラントの区分に、ダウンロードされる資格がある。
【手続補正３】
【補正対象書類名】明細書
【補正対象項目名】０１４４
【補正方法】変更
【補正の内容】
【０１４４】
例えば、グラフィック表示をライブラリ部704からプロセスグラフィックス部734にドラッグして、表示を実行時環境と関連付けてよい。また、例えばプロセスグラフィックス部734のグラフィック表示を、他の部分の中、例えばArea_Aの表示部750（この表示をArea_Aのエンティティおよび機能に対して特化するが、いずれのArea_A表示デバイス上でも全一般的に利用可能にする）、Area_Bの表示部754等に、移動することができる。同様に、グラフィック表示を論理的エンティティのサブ部分と関連付ける、例えばLOOPと称する制御モジュール（表示フォルダー752で示されている）と関連付けてよく、これは、これら表示をこの論理的エンティティに特化し、この制御ループ機能を行なうマシン、あるいはこの制御ループ機能と関連付けられていると定義されているマシン上でのみ、利用できるようにする。加えて、表示を特定の表示デバイスまたは表示デバイスの機能サブ部分（例えば、オペレータステーション762内のオペレータ（Operator）機能またはオペレータステーション762内のシミュレーション（Simulation）機能770で定義されたもの）に指定してよい。具体的に詳細には示されていないが、ユーザは、エリア、セル、ユニット、機器モジュールに、並びにさまざまな制御部に、グラフィック表示を指定して、グラフィック表示がプロセスプラントと関連付けられ、その内で使用される方法を定義することもできる。
【手続補正４】
【補正対象書類名】図面
【補正対象項目名】図２４
【補正方法】変更
【補正の内容】
【図２４】
2007536648.tif 000001